(57)【要約】【解決課題】スロットマシンの模様替えを容易且つ迅速に行うと共に低コストで行うようにする。【解決手段】本体枠（１）に格納されるドラムユニット（５）をレール（５０，５１）を介して出し入れ自由に支持し、その前面部に立ち上り状に表示枠体（２８）を着脱自由に備える。この表示枠体に開設する主窓開口部（３４）に前記ドラムユニットの回転ドラム（４ａ，４ｂ，４ｃ）の周面を臨ませ、また前記本体枠内部には副表示装置（２３）を第２の支持レール（５６，５７）を介して出し入れ自由に格納しその画面を前記表示枠体に開設する従窓開口部（３５）に臨ませ表示枠体（２８）内に併設して前記ドラムユニット（５）と副表示装置（２３）を被うようにする。これによって前記表示枠体を交換することでスロットマシンの主要な表示部分を取り替えその意匠を変更し、スロットマシンの模様替えをする。【選択図】          図５
2005058271.tif 000002
【特許請求の範囲】
【請求項１】
回転ドラムを連装するドラムユニットとメダルの払出し装置とを格納する本体枠の前面開口部を前扉により塞ぎ、該前扉に開設する透視窓を通して前記回転ドラムの周面を覗く一方、前記前扉の前面に備える操作手段の操作により遊技するようにしたスロットマシンにおいて、
前記ドラムユニットは前記本体枠内部に付設する支持レールを介して出入れ自由に格納すると共に、該ドラムユニットの前部に前記前扉の透視窓に対面する如く前面側を表示部とする表示枠体を立設し、該表示枠体に開設する主窓開口部に前記回転ドラムの周面を臨ませ、また前記本体枠内部には前記ドラムユニットと別体の副表示装置を格納し、該副表示装置の画面を前記表示枠体の前記主窓開口部に隣接して開設する従窓開口部に臨ませ、前記表示枠体の表示部内に前記回転ドラムの周面と前記副表示装置の画面とを併設してなることを特徴としたスロットマシン。
【請求項２】
請求項１の記載において、ドラムユニットを支持する支持レールは本体枠の両側板に向い合せにして前後方向に付設する２本のレールから構成し、一方ドラムユニットは両側部に滑合体を備えて左右の各滑合体を前記左右の支持レールに滑合させ前後方向に移動自由となるよう支持してなることを特徴としたスロットマシン。
【請求項３】
請求項１の記載において、本体枠の両側板若しくは上面板の各内側面のいずれかに前後方向に向けて第２の支持レールを付設し、他方副表示装置には該第２の支持レールに滑合する滑合部を形成して滑合組合せ、該副表示装置を本体枠内部に格納すると共に、前記第２の支持レールを案内に出入れ自由に格納してなることを特徴としたスロットマシン。
【請求項４】
請求項３の記載において、第２の支持レールは並行する２条のレールとし、他方副表示装置には前記２条のレールにそれぞれ滑合する一対の滑合部を設けてなることを特徴としたスロットマシン。
【請求項５】
請求項１又は３又は４の記載において、副表示装置は画像表示装置であることを特徴としたスロットマシン。
【発明の詳細な説明】
【０００１】
【発明の属する技術分野】
本発明は、スロットマシンに関する。
【０００２】
【従来の技術】
スロットマシンは箱形にして前面を開口させる本体枠（筺体）の内部に複数の（通常３個の）回転ドラムを横一列に連装したドラムユニットと、「当り」に備えてメダルを貯留するメダル払出し装置とを格納し、上記前面の開口部を前扉で被うようにしてある。
そして、前扉に開設する透視窓を通して前記回転ドラムの前面部周面を覗くようにして複数の回転ドラムの周面に表わす図柄の一致に伴う「当り」を確認する一方、この前扉の前面部には上記回転ドラムの始動のためのレバーや、回転を停止させるボタン等遊技を開始し進行させ、操作するための各種の操作手段が設置される。
【０００３】
その一方、前扉の前記回転ドラムを覗く窓の周囲には予め設定される遊技方法や遊技の進行状況、遊技の成立等を表示する表示ランプ等の表示手段が回転ドラムの図柄の確認に併せて視認できるように設けられている。一般にこれらの表示手段は前記窓に嵌め付ける透明板の設置と同じように個々の表示ランプ等を窓の周囲に一体的に設け、前扉の一部としており、これらを前扉の前面に配置することによって前扉の外観、つまりスロットマシン固有の意匠が形ち作られている。
【０００４】
勿論、上記表示手段は遊技方法や進行状況の表示、「当り」の表示など機能的な面についてだけ利用されているものではなく、遊技の楽しさを演出するため表示ランプ等についてデザインされ、配置に工夫が施されている。更には演出を盛り上げる照明用ランプ類を組入れたり、或いは回転ドラムに表わす図柄に合せた装飾を施したりして遊技の内容に合せた意匠表現が行われている。
従って、スロットマシンにおける前記回転ドラムと、この回転ドラムに関連させた表示手段、装飾を施した前扉とは一体のものとなり、不可分の状態におかれている。
【０００５】
しかし、知られる様にスロットマシンは長期に亘って使用されると、変化を求める遊技者から飽きられることから、遊技内容を変えたり、デザインを変えた新らたな機種に入れ替える必要が生じる。
スロットマシンの入れ替えは遊技者の嗜好、興味に対応させる上で効果的であり、遊技者を惹きつける上で確実性が高いが、スロットマシンをそっくり入れ替えることは経済的負担が高く、これを定期的に実施することは容易なことではない。
【０００６】
そこで、この問題を解決する方法として、スロットマシンの中枢部でもある回転ドラム（回転リールを含む。）と、この回転ドラムを電気的に制御する遊技制御装置、及び回転ドラムに表示される図柄の予め定められた組合に併せて当り状態を表示する表示手段や遊技を演出する演出手段など表示並びに装飾を施す表示装置をユニット化してこれをスロットマシンの本体を構成する筺体と前扉に対して独立して着脱交換可能に収め、機種を変更する場合にこのユニットを交換する方法が提案されている（例えば特許文献１）。
【０００７】
また、このユニット化を更に進めて回転ドラムとこれを制御する制御装置を一体化する一方、遊技を演出する演出装置を別にしてこの両者を個別に交換可能とし、機種の変更を行うようにしたスロットマシンが提案されている（例えば特許文献２）。
【０００８】
【特許文献１】
特許第３１２６８１２号公報  第１頁左欄の特許請求の範囲の項、同第２頁右欄の第３０行目〜第３頁左欄の第１５行目、及び図面の図１、図２。
【特許文献２】
特開２００３−１０３８４公開特許公報  第２頁左欄の特許請求の範囲の項、第３頁左欄段落０００８及び０００９、図面の図１、図２、図４、図５、図６。
【０００９】
【発明が解決しようとする課題】
上記回転ドラムを中心としたユニット化によりスロットマシンの中枢機構部分を筺体と前扉からなる本体部から取り外し自由にして他のものと交換し、この交換を通して機種の変更を行う方法は、スロットマシン全体を交換し機種を変えるそれまでの方法に比較して遥かに経済的である。しかも交換における作業時間も短時間で済ますことができ、また多くの部分をそのまゝ再利用できることから廃棄処分の問題も少なく極めて有効な手段となっている。
【００１０】
しかし、上記従来方式は機種の変更を中心に見た場合、当初の効果を挙げることができるが、この機種の変更に併せてその変更に伴う外観、つまりその機種に対応させて施される装飾、固有の意匠等についての変更については不充分であり、ときには実質的に機種の変更がされているにもかゝわらず、遊技者に伝わらないことがある。
機種の変更は遊技内容が変わることであり、これが遊技者に新鮮味を与え興趣をそゝるものとなるが、この変更はスロットマシンに現れる外観、意匠によって一層明確なものとなる。
【００１１】
本発明はこの様な事情に鑑み開発されたものであり、スロットマシン本体枠に対して回転ドラム及びこの回転ドラムの制御を含む遊技制御装置を備える回転ドラムユニットの交換により機種の変更を実現することに併せて、この回転ドラムユニットに設定される固有の遊技内容を表現する表示枠体をスロットマシンの本体部、特に前扉に対して無関係に取り替えられるようにして簡便に機種の変更に併せた表示、装飾等の意匠的変更が行えるようにしたスロットマシンを提供しようとするものである。
【００１２】
また、本発明は前記表示枠体に前記回転ドラムの前面側周面を覗く窓を開設すると同時に、遊技を演出する副表示手段たる液晶表示器等からなる副表示装置の画面を覗く窓を併せて開設し、本体枠内部に収められる前記回転ドラムユニット並びに前記副表示装置の全体を被い隠す大きさにして、その前面部に施す表示乃至装飾を該表示枠体の交換によって全て入れ替え、意匠の変更ができるようにしたスロットマシンを提供しようとするものである。
【００１３】
【課題を解決するための手段】
本発明は、上記目的を達成するため、スロットマシンの本体枠内部には回転ドラムを主体とするドラムユニットを出入れ自由に格納すると共に、このドラムユニットとは別体をなす副表示装置たる画像表示装置を同じく出入れ自由に格納して併設し、これら両者を前記ドラムユニットの前部に立上り状に備える表示枠体で被う一方、該表示枠体に開設する主，従の窓開口部にそれぞれ臨ませて前記本体枠の前面を塞ぐ前扉に開設する透視窓を通してこれらを視認可能にしたことにある。
【００１４】
これによってドラムユニットに併設する副表示手段となる画像表示装置を含む全体を表示枠体で被い隠すと同時に、前扉の透視窓に対してこの表示枠体の前面側の表示部の全面を露出させることから、この表示部に施す表示手段，装飾手段をスロットマシンの中心の表示及び装飾手段とすることができ、遊技者に対し最も印象深い存在とすることができる。
そして、本発明においてはこの表示枠体を単独に、又はドラムユニットと共に取り外し交換することを可能とすることにより、この一部の変更によってスロットマシンの意匠外観を変更し、機種の入れ替えに匹敵する変更を可能としたことにある。
【００１５】
更に、本発明の特徴とするところを詳述すれば、本発明は回転ドラムを連装するドラムユニットとメダルの払出し装置とを格納する本体枠の前面開口部を前扉により塞ぎ、該前扉に開設する透視窓を通して前記回転ドラムの周面を覗く一方、前記前扉の前面に備える操作手段の操作により遊技するようにしたスロットマシンにあって、前記ドラムユニットは前記本体枠内部に付設する支持レールを介して出入れ自由に格納すると共に、該ドラムユニットの前部に前記前扉の透視窓に対面する如く前面側を表示部とする表示枠体を立設し、該表示枠体に開設する主窓開口部に前記回転ドラムの周面を臨ませ、また前記本体枠内部には前記ドラムユニットと別体の副表示装置を格納し、該副表示装置の画面を前記表示枠体の前記主窓開口部に隣接して開設する従窓開口部に臨ませ、前記表示枠体の表示部内に前記回転ドラムの周面と前記副表示装置の画面とを併設することを特徴としたスロットマシンを提供することにある。
【００１６】
また本発明は、前記ドラムユニットを支持する支持レールは、本体枠の両側板に向い合せにして前後方向に付設する２本のレールから構成し、一方ドラムユニットは両側部に滑合体を備えて左右の各滑合体を前記左右の支持レールに滑合させ前後方向に移動自由となるよう支持してなることを特徴としたスロットマシンを提供することにある。
【００１７】
また本発明は、前記本体枠の両側板若しくは上面板の各内側面のいずれかに前後方向に向けて第２の支持レールを付設し、他方副表示装置には該第２の支持レールに滑合する滑合部を形成して滑合組合せ、該副表示装置を本体枠内部に格納すると共に、前記第２の支持レールを案内に出入れ自由に格納してなることを特徴としたスロットマシンを提供することにある。
【００１８】
また本発明は、前記第２の支持レールは並行する２条のレールとし、他方副表示装置には前記２条のレールにそれぞれ滑合する一対の滑合部を設けてなることを特徴としたスロットマシンを提供することにある。
【００１９】
【発明の実施の形態】
【実施例１】
次に、本発明を添付する図面に示す実施例に基づき説明することにする。図１から図８は本発明に係るスロットマシンの第１の実施例である。
図１は斜視図であり、図２は正面図、図３は前扉を取り除いた正面図で、図４は前扉を取り除くと共にドラムユニットの一部を欠截した正面図である。
【００２０】
図面の符号１は、箱形に形成したスロットマシンの本体となる本体枠であり、２は本体枠の前面の開口部３を閉ざす前扉である。
本体枠１は内部に３個の回転ドラム４ａ，４ｂ，４ｃを横列に連装するドラムユニット５と、「当り」に合せて放出するメダルを貯留するメダル払出し装置６とを上下の空間に格納し、ドラムユニット５は後述するように前面の前記開口部３を通して出し入れ自由となるように収めてある。
【００２１】
前扉２は本体枠１の開口部３の全体を被い隠せる大きさの矩形の枠体に形成してあり、一側縁を本体枠１の開口部３の一側縁に添わせ、上下の２箇所をヒンジ装置７，７によって連結し、このヒンジ装置を支点にして開閉自由に蝶着してある。
この前扉２は上半部分を周囲の枠部分８を残して大きく開口させ透視窓９を開設し、この窓を通して後述するように前記ドラムユニット５の前面が覗けるようにしてあり、窓９にはガラス等の透明板１０が嵌め殺しの状態で嵌め付けてあり塞いである。
【００２２】
また、この前扉２の下半部分はゲームを設定し、或は進行させるための各種の操作手段を備える操作台１１と、機種名やゲーム内容に関連するキャラクター名称、或いは図模様を表わす表示パネル１２と、放出されるメダルを受ける受皿１３等が上中下段に分散配置してある。
【００２３】
操作台１１は前方に突き出す横長の台として形成してあり、その上面の左端にはメダルの投入数を１個、２個、３個と設定する投入個数設定ボタン１４が３個一列に配置してあり、右端にはゲームを始めるに当って投入するメダルの投入口１５が設けてある。
また、この操作台１１の前面部には、左端側からスタートレバー１６、３個の回転ドラムを個別に停止させるストップボタン１７ａ，１７ｂ，１７ｃ、クレジットモードの設定ボタン１８、詰りメダルの解除ボタン１９が横一列に配置され、右端にはこの前扉２を施錠し、解錠するための錠穴２０が設けてある。
【００２４】
図中２１は、メダル払い出し装置６から放出されるメダルを受皿１３に送る放出口であり、２２は前扉２の上縁部前面に設けた表示用のランプケースである。前扉２に開設される前記透視窓９は左右の枠部分８と上部の枠部分に当る前記ランプケース２２に囲まれる広い範囲を開放することによって形成してあり、扉が閉塞されたとき、この窓９を透して本体枠１の内部に格納される前記ドラムユニット５の前面部分の全体が覗ける大きさとなっている。
【００２５】
図５乃至図８は本体枠１の内部に収まるドラムユニット５と、メダル払出し装置６の関係及びドラムユニット５並びに副表示装置である画像表示器２３の構造を詳述したものであり、次にこれらの図面に従って説明することにする。
【００２６】
ドラムユニット５はベースとなる基板２４の上に門形のフレーム２５を立ち上げて、この間に前記３個の回転ドラム４ａ，４ｂ，４ｃを横一列に並べ図示しない支軸を介して回転自由に軸承させてある。そして、各回転ドラムは個々に独立して回転し、且つ回転を停止させるステッピングモータを内蔵し、前記したスタートレバー１６を操作したとき一斉に回転を開始し、ストップボタン１７ａ，１７ｂ，１７ｃの個別の操作によって次々と停止できるようにしてある。
【００２７】
前記基板２４上には前記回転ドラムを被うように支持枠２６が組んである。この矩形に形成した上部枠部分２６ａには横長のケースに収めた遊技制御基板２７が取付けてある。
この支持枠２６は上記制御基板２７を固定するための外、回転ドラムの前面を被う表示枠体２８を支持するために設けられているもので、前面側の上縁部左右と、下端部左右にはこの表示枠体２８を支持するための係止爪２９と受爪３０を上下向い合せに備えている。
【００２８】
前記表示枠体２８につき更に詳述すると、この表示枠体は照明或いは表示するためのランプを収めるプラスチック製のランプケース３１と、このランプケースの前面に張り付ける同じくプラスチック製の表示パネル３２から構成してあり、ランプケース３１は浅い奥行きをもった矩形の箱形に形成して内部を複数に仕切って多数のランプ収納室を形成し、その中心部分に３個の回転ドラム４ａ，４ｂ，４ｃの前面部分を覗くことができる空部３３を設けている。
上記ランプ収納室は次に説明する表示パネル３２に各形成する表示部にそれぞれ対応させてあり、収めるランプの点灯によって各表示部を照らすことができるようにしてある。
【００２９】
表示パネル３２はプラスチックの透明板から構成して周縁部分を着色して不透明とし、中央部分に前記ランプケースの空部３３に合せた透明部を設けて主窓開口部３４を形成している。そして、この実施例では主窓開口部３４の右隣りに並べてこれより小型の従窓開口部３５を設け、前記副表示装置である画像表示器２３の画面が覗けるようにしてある。
【００３０】
上記表示パネル３２には装飾用の図柄３６を配すると共に、前記主窓開口部３４の上方にクレジットメダル数を表示する表示部３７、大当たりラウンド表示部３８、メダル払出し数表示部３９を左から順次配置し、主窓開口部３４の左側には縦列に遊技状態報知部４０‥‥を設け、更に左右の縁に沿って５本の当りライン４１‥‥の選択を表示するライン表示部４２‥‥，４３‥‥を、そして下縁に沿っては３個の回転ドラムの回転状態を表示する表示部４４‥‥を設けている。尚、当りライン４１は図２，３に示したように主窓開口部３４を渡って上下に並行する３本と、交錯する２本のラインからなり、回転ドラムの定められた図柄がこのライン上で揃ったとき予め定められた当り状態が実現することになる。このことはこの種スロットマシンにおけるものと同じである。
【００３１】
前記ランプケース３１に形成する多数のランプ収納室４５‥‥は前記表示パネル３２に形成する各表示部に対応するものであり、その内部にはそれぞれランプ４６‥‥が収められ、前記遊技制御基板２７からの指示を受けて点灯或は点滅して積極表示することになる。
【００３２】
表示パネル３２はランプケース３１の前面側の上下の縁に沿って向い合せに突設する係合受片４７，４８に上下の縁を係合させることによって組合せられる。この組合せは図６に示したようにランプケース３１の右方の端から図中２点鎖線で示すように表示パネル３２の左端縁を臨ませ差し込むようにして行われ、パネルの左端がランプケースの左端に衝合したとき組立が完了し、これによって表示パネル３２に設けた前記表示部とランプケース３１の各ランプ収納室４５‥‥とが一致することになる。
【００３３】
この表示パネル３２の差し込みによる両者の組合せは、必要に応じて交換を簡単に行うための配慮によるものであり、後述するようにスロットマシンの模様替えをする際、他の表示パネルと差し替えて簡単に模様替えを行うことができるものとなる。
尚、ランプケース３１の右辺部の切欠部４９は画像表示器２３を受け入れるための空部であり、表示パネル３２が組付けられたときこの切欠部４９の前面に従窓開口部３５が位置し、画面を覗かせることになる。
【００３４】
前記ランプケース３１に表示パネル３２を組付けることによって完成される表示枠体２８は支持枠２６の前面に添わせ、ランプケース３１の下辺部を前記受爪３０，３０に乗せたのち、上辺部を後方に押付け、前記係止爪２９，２９を一旦押上げて係止させることによりドラムユニット５に組付けられる。
この受爪３０と係止爪２９による表示枠体２８の止め付けは、ドラムユニット５に対する取付けと取り外しを容易にして交換作業を迅速且つ簡便に行うための手法であって模様替えに対応させたものとなっている。
【００３５】
さて、表示枠体２８を取付けたドラムユニット５は本体枠１に対して支持レール５０，５１を介して出入れ自由に装着される。
上記２本の支持レール５０，５１は本体枠１の左右の側板５２，５３の内面に向かい合わせに止着して水平に取付けてあり、ドラムユニット５の基板２４の左右に備える滑合体たるローラ５４，５５を受け止め支持するようにしてある。
この支持レール５０，５１はローラ５４，５５の外れを防止するためそれぞれ内側の縁に沿って突片５０ａ，５１ａを立ち上げ、レールに沿ってローラを前後に移動する際、或は格納時にドラムユニット５が落下するのを防止する。
【００３６】
一方、前記画像表示器２３はドラムユニット５とは別に本体枠１の上部空間に出入れ自由に取付けるようにしてある。
この実施例では前記右方の支持レール５１の取付片部を上方に延長させて、この延長部分５１ｂに上下並行する第２の支持レール５６，５７を付設し、画像表示器の右壁面に備える滑合部たる板５８の上縁と下縁をそれぞれ滑合させて支持するようにしてある。
【００３７】
上記第２の支持レール５６，５７は断面Ｌ字形にして溝を設け、この溝を向い合せにしてあり、この溝に前記滑合部の板５８の上縁と下縁を嵌め入れ前後方向に摺動自由にして画像表示器２３を取外し自由にしてある。そして、取付け格納した状態においては前記ドラムユニット５の右辺部に設ける切欠部４９に収まると共に、前面の画面を表示枠体２８の表示パネル３２に開設する前記従窓開口部３５に臨ませることができるようになっている。
【００３８】
尚、ここで前記画像表示器２３の第２の支持レール５６，５７をドラムユニット５を支える支持レール５１に一体に併設する構造にしたことから、このドラムユニット５と画像表示器２３を設置したとき、回転ドラム４ａ，４ｂ，４ｃと画像表示器の画面との位置併せが容易になり表示枠体２８に形成する主，従の窓開口部３４，３５に対して容易に且つ正確に臨ませることができる。
【００３９】
図中５９はドラムユニット５の基板２４上に載置した副表示装置たる前記画像表示器２３の制御回路基板を収納する基板ケースで、６０はこの制御回路基板と画像表示器とを接離自由に接続するコネクタである。
また、６１は電源基板を格納するケースであり、６２は電源基板と前記各制御回路基板、ドラムユニット内のステッピングモータ、メダル払出し装置等とを接続するコードである。
【００４０】
本発明のスロットマシンは上述の様に構成されるもので、ドラムユニット５は本体枠１に対してその前面の前扉２を開放した状態で持ち込み、左右のローラ５４，５５を支持レール５０，５１に滑合させ、これを案内に押込むことで格納することになる。
上記格納時のドラムユニット５の前後の移動は、ローラの回転を適宜の方法で止めればよく、例えばレールとの間に小片を噛ませる等して止め移動を拘束することができる。
【００４１】
このドラムユニット５の格納についてはその作業に先立って第２の支持レール５５，５６を使って副表示装置たる画像表示器２３を本体枠１内に格納しておくことになる（図５参照）。次に、ドラムユニット５の格納によってその前面の表示枠体２８の表示パネル３２に形成する従窓開口部３５をこの画像表示器２３の画面に合せ、これを前面に向けて露出させることになる。
【００４２】
この格納作業ののち、前扉２を閉じ、この扉の自由端縁側背面部の上下に備える係止片６３，６３を本体枠の右側板内面に供える係止部６４，６４に掛け止めてロックする。尚、このロックの解除は前述したように錠穴２０に対する解錠操作によって行うことになる。
【００４３】
閉塞された前扉２は、上部の略全面に亘って開口し形成される透視窓９をドラムユニット前面の表示枠体２８に臨ませることになり、この表示パネル３２の前面の表示部を透明板１０を通して露出させることになる。そして、これに形成する飾り図柄３６を始めとして主，従の窓開口部３４，３５、そして各表示部３７〜４３を前扉２の閉塞と共にその前面部分の一部として組み込み、一体的に外観させることになる。
勿論、このため表示枠体２８の表示パネル３２は広く開放する前記透視窓９の開口面積よりやゝ広い大きさに形成して両者間の空隙を埋め、本体枠１の内部が直接覗かれないようにすることは言うまでもない。その一方、主窓開口部３４を通して回転ドラム４ａ，４ｂ，４ｃの前面部分を、そして従窓開口部３５を通して画像表示器２３の画面を覗かせることになる。
【００４４】
この様に、本発明スロットマシンは前扉２に広く開設した透視窓９にドラムユニット５の前面を被うように備える表示枠体２８を背後から臨ませ露出させると同時に、この表示枠体の表示パネル３２に主，従の窓開口部３４，３５を隣接して設け、ドラムユニットの回転ドラム４ａ，４ｂ，４ｃと、画像表示器２３の画面を両窓開口部を通して前面に露出させる構造としたことから、回転ドラムと画像表示器を表示パネル３２内において一体に現わすことができるものとなる。このため、例えば３個の回転ドラム４ａ，４ｂ，４ｃにそれぞれ表わし、組合せを楽しむ図柄を、更に前記画像表示器２３の画面にも表わすことで４個の組合せを楽しむことも可能となる（図３，４を参照）。
【００４５】
またこのとき、主，従の窓開口部３４，３５は一つの表示パネル内にあって纏められると共に、この表示パネル３２の表面部は一つであって統一した図柄，模様を表わす特定の意匠とすることができるため看る者をして強い印象を与えることが可能となる。
従って、遊技内容（仕様）の変更を伴うドラムユニット５の交換の際、実質的な機種の変更と共に、この機種をイメージする表示枠体２８をそっくり入れ替えることができるため極めて効果的な模様替えを実行することができることになる。
【００４６】
また、このドラムユニット５の交換による表示枠体２８の入れ替えの外に、表示枠体２８はドラムユニット５に対して着脱自由に取付く構造としたことからこの表示枠体２８をドラムユニット５とは切り離して単独で交換し、スロットマシンの模様替えを行うことも可能である。
【００４７】
更に上記表示枠体２８はランプケース３１に対して表示部を含む装飾部となる表示パネル３２を着脱自由に組付ける構造に係ることからこの表示パネルを単独に交換し模様替えを行うことも可能である。
【００４８】
また更に本発明においてはドラムユニット５と組にして使用することが可能になっている副表示装置たる画像表示器２３を本体枠１に対して第２のレールを介して着脱自由に取付けることから、ドラムユニット５をそのまゝにして他の画像表示器２３と交換し、表現内容を変更して演出効果を変えることも可能になっている。
【００４９】
本発明は、遊技仕様を具体的に表わし、特定の機種を特徴付けるドラムユニット５の交換による機種の変更操作に加えて、この機種の特徴を表現し、遊技者に記憶させる表示枠体２８、画像表示器２３、更には表示パネル３２を単独に、又個別に交換できることから様々な組合せを通して多様な意匠的変更を簡単に、且つ的確に実行できるものとなっているのである。
【００５０】
【実施例２】
図面の図９〜図１５は本発明に係るスロットマシンの第２の実施例を表わしたものである。この実施例は前記第１の実施例がドラムユニット５に対して画像表示器２３が右隣りに位置する場合であるのに対して上方に位置させた場合を示すものである。
図９は斜視図であり、図１０は前扉を外した状態における正面図、図１１はドラムユニットの前面部に備える表示枠体を取り除いた状態の正面図、図１２は分解斜視図で、図１３はドラムユニットと表示枠体を分解した斜視図である。尚、これらの図面において前記第１の実施例と同一の部所については同一の符号を付し、その説明を省略する。
【００５１】
この実施例と第１の実施例の相違する点は、前述の通り画像表示器７０が第２の支持レール７１，７２を介して本体枠１の上面板７３の下面に取付けられることであり、この取付位置の変更に伴ってドラムユニット５に形成するフレーム２６に画像表示器７０を受け入れる切欠部７４が上部中央部に形成されることである。そして、上記切欠部７４の位置変更に伴って表示枠体２８を構成するランプケース３１と表示パネル３２の組合せ構造に変更が加えられたことが主なる相違点である。以下、その他の付随して変更された箇所と共に図面に基づいて詳述することにする。
【００５２】
画像表示器７０は言うまでもなく副表示装置であり、ここでは横長の箱形に形成して上面板７５の両側端を左右に突出させ滑合部７６，７７を形成し、これをレール７１，７２に滑合させるようにしてある。
第２のレール７１，７２は矩形の金属板の左右両側端をコ字形に折り返して向い合う溝形に形成したもので、側方に突き出す前記滑合部７６，７７を受け入れ、その長さ方向、つまり本体枠１に対して前後方向に摺動自由となるように滑合し、吊設した状態で支持するようになっている。
【００５３】
尚、前記第２の支持レール７１，７２を形成する金属板は左端を本体枠の左側板５２に当接するようにして上面板７３に固定し、他方ドラムユニット５の左側の支持レール５０を同じく左側板５２に接して固定して、両者の位置関係を定め、これによってドラムユニット５と画像表示器７０との位置関係が自動的に定まり、表示枠体２８のそれぞれの窓開口部３４，３５に臨むようにしてある。
【００５４】
ドラムユニット５の支持フレーム２６は基板２４から立ち上り、前面部に表示枠体２８を支えるようにしてあり、上面中央部に形成される切欠部７４は前後方向に抜けると共に、前記吊設状態で支持される画像表示器７０を受け入れる縦と横の幅をもって形成してある。
【００５５】
表示枠体２８は前記実施例と同様にランプケース３１と表示パネル３２から構成してあり、ランプケース３１には画像表示器７０を受け入れる切欠部７８が、また表示パネル３２には画像表示器７０の画面を臨ませる従窓開口部７９が中央部に設けられる主窓開口部３４の上方に位置するように設けてある。
【００５６】
ランプケース３１の前面側の左右の縁と下縁には内向きの溝になる係合受片８０，８１が設けられ、上方から落し込む表示パネル３１の縁をそれぞれに嵌め入れて一つに結合するようにしてある。
図１３はこの結合を説明するため分解して示したもので、図１２は表示枠体２８の組立を完了したのちドラムユニット５に組付けた状態を示している。
【００５７】
表示枠体２８は支持フレーム２６の前面部に設ける受爪３０に掛け止めたのち上縁部を係止爪２９に押付けることによって着脱自由に係止し、ドラムユニット５に組付けられる。この組付けの方法は第１の実施例の場合と同じである。
表示枠体２８を取付けたドラムユニットは前扉２を開放した本体枠１に前方から持ち込み、左右の支持レール５０，５１をガイドにして押し入れ格納することになる。
尚、この実施例における右方の支持レール５１は、前記第１の実施例と異なり、第２の支持レールを別にして単独のものとしていることから左方の支持レール５０と同一構造のものを使用している。
【００５８】
ドラムユニット５の格納に先立って上面板７３の下面に止着した第２の支持レール７１，７２に滑合部７６，７７を滑合させて画像表示器７０を吊設状に装着し、格納しておくことは前記第１の実施例とおなじである。ドラムユニット５の格納に合せてその画面を表示パネル３１に設ける従窓開口部７９に臨ませ、前方に露出させると共に、主窓開口部３４に臨む回転ドラム４ａ，４ｂ，４ｃの上に位置させて併設することになる。
【００５９】
上記画像表示器７０は図１０，１１に示したように、ここでは画面を横長に形成したことと、主窓開口部３４の直上に位置させたことによって画面を縦割りに３コマに分割し、それぞれ回転ドラム４ａ，４ｂ，４ｃに各対応させるようにしてこの画面に「当り」となる図柄の組合せを表示するなど遊技者に目標を与える演出が表現される。
【００６０】
尚、図面において、８２は回転ドラムを中心とした遊技を操作するための遊技制御回路基板を内蔵するケースで、８３は画像表示器７０に表示する画像を制御する演出用の制御回路基板を内蔵するケースである。
【００６１】
上記説明の通り第２の実施例は、副表示装置である画像表示器７０をドラムユニット５の側方部から上方部に移したことにより表示枠体２８の表示パネル３２の窓開口部の位置が異なること、またこれに伴って画面自体の形状も横長となり、表現される内容が異なることから第１の実施例とは外観的に異なる印象を与えるものとなるが、本体枠１に対してドラムユニット５を出入れ自由に格納し、またドラムユニット５に表示枠体２８を着脱交換自由に取付けるようにしたこと、そして表示枠体２８のランプケース３１に対して表示パネル３２を着脱自由にして交換を可能にした点において共通し、また本体枠１に対して画像表示器７０を着脱自由にして交換を可能にした点について共通しており、前記両実施例は主要な部分において共通したものとなっている。
【００６２】
本発明は以上の説明の通り、本体枠に対して機種を決定するドラムユニット５の交換を可能にして本体枠をそのまゝにして機種の変更を行うことができる一方、このドラムユニット５に対して表示枠体２８の交換を可能にしたことから、ドラムユニットを交換することなくこの表示枠体の入れ替えを通して機種を視覚的に特徴付け、印象付ける部分を交換し効果的に模様替えすることができることになる。
そして、上記表示枠体はランプケースに対して表示パネルを単独で取外すことができることから更に容易に模様替えの作業を行うことができるものとなっている。
【００６３】
この表示枠体、更には表示枠体前面に設ける表示パネルの交換によるスロットマシンの模様替えは、表示パネルを含む表示枠体２８に機種を特定するドラムユニット５に備える回転ドラムの周面と、副表示装置となる主として演出用の画像表示器２３（又は７０）の画面を表わす主，従の窓開口部３４，３５を併設して収めたことにより一層効果的に行われるものとなっている。
【００６４】
即ち、ドラムユニットの回転ドラムと画像表示器の画面が表示枠体の中に揃って現れることから表示枠体の前面表示部、つまり表示パネルの前面部には主，従の窓開口部と各表示部を含む全体について統一した装飾表現が可能となり、これにより強い印象をもった表現手段とすることができるため、有効な模様替えを実行することができる。
【００６５】
また、表示枠体は主，従２つの窓開口部を備えてドラムユニットと画像表示器の両者を被う広さをもつことから従来前扉に表わしていた模様、装飾をこの表示枠体に移して表わすことが可能であり、従って前扉に変更を加えることなく表示枠体単独の、或はドラムユニットと共に交換することによって新しい外観のスロットマシンに変化させることができる。
【００６６】
【発明の効果】
以上の説明の通り、本発明によれば前扉とは別体のドラムユニットに備える表示枠体に回転ドラムを覗く主窓開口部と副表示装置を覗く従窓開口部を併設し、一つの表示枠体内に収めたことから回転ドラムに表わす図柄、遊技の設定、進行を表示する各種の表示部及び副表示装置に表わす画像について表示枠体の前面に関連した内容でデザインすることができ、特徴付けられるため前扉を全く変更することなくこの表示枠体の交換によって効果的に模様替えが行える。
【００６７】
また、表示枠体若しくは表示パネルの単独の交換によって実行することができるため容易に且つ迅速に作業ができると共に、これらの部分を除くその他の大部分を再使用するため廃棄処分等の問題が少なく極めて経済的である。
【図面の簡単な説明】
【図１】本発明に係るスロットマシンの斜視図。
【図２】スロットマシンの正面図。
【図３】本体枠から前扉を除いた正面図。
【図４】図３においてドラムユニット前面の表示枠体を除いた正面図。
【図５】前扉を開放し本体枠内部からドラムユニットを取り出した状態を示す分解斜視図。
【図６】ドラムユニットから表示枠体を外すと共に表示枠体をランプケースと表示パネルに分解した状態を示す斜視図。
【図７】一部断面としたドラムユニットの格納状態を説明する平面図。
【図８】図７の分解平面図。
【図９】第２の実施例におけるスロットマシンの斜視図。
【図１０】本体枠内部の格納状態を説明するため前扉を取り除いた正面図。
【図１１】図１０におけるドラムユニット前面の表示枠体を取り除いた状態における正面図。
【図１２】前扉を開放すると共に本体枠内部からドラムユニットを取り出した状態を示す斜視図。
【図１３】ドラムユニットから表示枠体を外すと共に表示枠体をランプケースと表示パネルに分解した状態を示す斜視図。
【図１４】スロットマシンの右側に片寄った位置で断面とした縦断右側面図。
【図１５】図１４の分解右側面図である。
【符号の説明】
１                  本体枠
２                  前扉
３                  本体枠の開口部
４ａ，４ｂ，４ｃ    回転ドラム
５                  ドラムユニット
６                  メダル払出し装置
９                  前扉に形成した透視窓
１０                透明板
１１                操作台
２３，７０          副表示装置たる画像表示器
２８                表示枠体
３１                ランプケース
３２                表示パネル
３３                ランプケースに形成した窓
３４                主窓開口部
３５                従窓開口部
３７，３８，３９    表示部
４１                表示ライン
４９，７４          切欠部
５０，５１          支持レール
５４，５５          ローラ
５６，５７，７１，７２    第２の支持レール
【図１】
2005058271.tif 000003
【図２】
2005058271.tif 000004
【図３】
2005058271.tif 000005
【図４】
2005058271.tif 000006
【図５】
2005058271.tif 000007
【図６】
2005058271.tif 000008
【図７】
2005058271.tif 000009
【図８】
2005058271.tif 000010
【図９】
2005058271.tif 000011
【図１０】
2005058271.tif 000012
【図１１】
2005058271.tif 000013
【図１２】
2005058271.tif 000014
【図１３】
2005058271.tif 000015
【図１４】
2005058271.tif 000016
【図１５】
2005058271.tif 000017